(57)【要約】【課題】複数のアクセスネットワークに対応している外部端末がコアネットワークと通信接続する際における通信処理の煩雑性を低減するとともに、ネットワーク設備費用を低減することが可能な通信制御装置及び通信制御方法を提供すること。【解決手段】本発明の通信制御装置１は、第一アクセスネットワーク３及び第二アクセスネットワーク４を介して、外部端末５と通信接続するコアネットワーク内の通信制御装置であって、第一アクセスネットワーク３を介して送信された第一ユーザ情報、及び第二アクセスネットワーク４を介して送信された第二ユーザ情報を外部端末５から受信するユーザ情報受信手段１１と、外部端末５に固有の単一のユーザ識別子Ａに関連付けて、ユーザ情報受信手段１１によって受信された第一ユーザ情報及び第二ユーザ情報を登録するユーザ情報登録手段１２と、を備えることを特徴とする。【選択図】図１
2010232990.tif 000002
【特許請求の範囲】
【請求項１】
第一アクセスネットワーク及び第二アクセスネットワークを介して、外部端末と通信接続するコアネットワーク内の通信制御装置であって、
前記第一アクセスネットワークを介して送信された第一ユーザ情報、及び前記第二アクセスネットワークを介して送信された第二ユーザ情報を前記外部端末から受信するユーザ情報受信手段と、
前記外部端末に固有の単一のユーザ識別子に関連付けて、前記ユーザ情報受信手段によって受信された前記第一ユーザ情報及び前記第二ユーザ情報を登録するユーザ情報登録手段と、を備える通信制御装置。
【請求項２】
前記第一アクセスネットワークまたは第二アクセスネットワークのいずれを優先的に用いるかを示す優先順位情報を受信する優先順位情報受信手段と、
前記優先順位情報受信手段によって受信された前記優先順位情報に基づいて、前記第一アクセスネットワーク及び前記第二アクセスネットワークのいずれか一方を介して接続する旨の接続要求を前記外部端末に通知する接続要求手段と、を更に備える請求項１に記載の通信制御装置。
【請求項３】
第一アクセスネットワーク及び第二アクセスネットワークを介して、外部端末と通信接続するコアネットワーク内の通信制御装置を用いた通信制御方法であって、
前記通信制御装置が、前記第一アクセスネットワークを介して送信された第一ユーザ情報を前記外部端末から受信する第一受信ステップと、
前記通信制御装置が、前記第一受信ステップにおいて受信した前記第一ユーザ情報を前記外部端末に固有の単一のユーザ識別子と関連付けて登録する第一登録ステップと、
前記通信制御装置が、前記第二アクセスネットワークを介して送信された第二ユーザ情報を前記外部端末から受信する第二受信ステップと、
前記通信制御装置が、前記第二受信ステップにおいて受信した前記第二ユーザ情報を前記外部端末の前記ユーザ識別子と関連付けて登録する第二登録ステップと、を備える通信制御方法。
【発明の詳細な説明】
【技術分野】
【０００１】
本発明は、通信制御装置及び通信制御方法に関するものである。
【背景技術】
【０００２】
近年、ＩＰ（Internet  Protocol）技術を用いた通信ネットワークが考えられており、ＩＭＳ(IP  Multimedia  Subsystem）といわれる規格が３ＧＰＰ（Third  Generation  Partnership  Project）において考えられている。この規格の内容は、例えば非特許文献１に記載されている。ＩＭＳ通信には、携帯電話等の外部端末を用いて、音声通信を実現するＶｏＩＰ（Voice  Over  Internet  Protocol）技術や、ＩＭ（Instant  Message）、プレゼンス（在席管理）などのサービスが知られている。ＩＭＳ通信を実施するには、ＩＰ接続アクセスネットワーク（IP-CAN:IP  Connectivity  Access  Network、以下、単に、アクセスネットワークという）を介して、外部端末からＩＭＳコアネットワーク（以下、単に、コアネットワークという）に対して、ＳＩＰ（Session  Initiation  Protocol）による登録（Registration）処理が事前に行われる。
【先行技術文献】
【非特許文献】
【０００３】
【非特許文献１】3GPP  TS  23.228  V8.7.0(2008-12)  3rd  Generation  Partnership  Project;  Technical  Specification  Group  Services  and  System  Aspects;  IP  Multimedia  Subsystem  (IMS);Stage  2(Release  8)、［平成21年3月10日検索］、インターネット＜URL:  http://www.3gpp.org/ftp/Specs/html-info/23228.htm＞
【発明の概要】
【発明が解決しようとする課題】
【０００４】
ＩＭＳ通信において、外部端末が、複数のアクセスネットワークに対応している場合、外部端末からコアネットワークに対して行うRegistration（登録）処理は、外部端末の接続IPアドレス保持のため、アクセスネットワーク毎に行って管理されていた。この際、一つの外部端末に対して、アクセスネットワーク毎に異なる複数のユーザ識別子（Public  User  ID）が用いられていた。３ＧＰＰ標準において、複数のユーザ識別子に対して登録処理する方法として、例えば、１回の登録処理を実行することで、複数のユーザ識別子の登録処理を同時に行う方法（Implicit  Registration）がある。
【０００５】
しかしながら、発信側は、着信側が対応している複数のアクセスネットワーク毎に関連付けられた複数のユーザ識別子を識別する必要があり、通信処理が煩雑であった。また、一つの外部端末に対して複数のユーザ識別子を用いるため、ユーザプロファイルが冗長し、ネットワーク設備費用を抑制することが困難であった。
【０００６】
本発明は、上記事情に鑑みてなされたものであり、複数のアクセスネットワークに対応している外部端末がコアネットワークと通信接続する際における通信処理の煩雑性を低減するとともに、ネットワーク設備費用を低減することが可能な通信制御装置及び通信制御方法を提供することを課題とする。
【課題を解決するための手段】
【０００７】
上述の課題を解決するため、本発明の通信制御装置は、第一アクセスネットワーク及び第二アクセスネットワークを介して、外部端末と通信接続するコアネットワーク内の通信制御装置であって、第一アクセスネットワークを介して送信された第一ユーザ情報、及び第二アクセスネットワークを介して送信された第二ユーザ情報を外部端末から受信するユーザ情報受信手段と、外部端末に固有の単一のユーザ識別子に関連付けて、ユーザ情報受信手段によって受信された第一ユーザ情報及び第二ユーザ情報を登録するユーザ情報登録手段と、を備えることを特徴とする。
【０００８】
本発明の通信制御装置によれば、第一アクセスネットワークを介した第一ユーザ情報、及び第二アクセスネットワークを介した第二ユーザ情報の両方が、外部端末に固有の単一のユーザ識別子に関連付けて、登録される。このため、複数のアクセスネットワークに対応している外部端末がコアネットワークと通信接続する場合であっても、単一のユーザ識別子を用いて通信接続が行えるので、通信処理の煩雑性が低減されるととともに、ネットワーク設備費用も低減される。また、従来の通信システムでは、複数のアクセスネットワークに対応している外部端末へ着信する際、複数のユーザ識別子宛にＩＮＶＩＴＥ(接続要求)処理を行っていた。そのため、着側の外部端末の複数のユーザ識別子のうち、登録処理が行われていないユーザ識別子に発信した場合、呼損となっていた。しかしながら、本発明によれば、複数のアクセスネットワークを介した複数のユーザ情報が、単一のユーザ識別子に関連付けて登録されているため、呼損の発生を抑制できる。
【０００９】
また、通信制御装置は、第一アクセスネットワークまたは第二アクセスネットワークのいずれを優先的に用いるかを示す優先順位情報を受信する優先順位情報受信手段と、優先順位情報受信手段によって受信された優先順位情報に基づいて、第一アクセスネットワーク及び第二アクセスネットワークのいずれか一方を介して接続する旨の接続要求を外部端末に通知する接続要求手段と、をさらに備えることが好ましい。これにより、第一アクセスネットワークまたは第二アクセスネットワークのいずれかを優先的に介した通信接続を行うことができる。
【００１０】
本発明の通信制御方法は、第一アクセスネットワーク及び第二アクセスネットワークを介して、外部端末と通信接続するコアネットワーク内の通信制御装置を用いた通信制御方法であって、通信制御装置が、第一アクセスネットワークを介して送信された第一ユーザ情報を外部端末から受信する第一受信ステップと、通信制御装置が、第一受信ステップにおいて受信した第一ユーザ情報を外部端末に固有の単一のユーザ識別子と関連付けて登録する第一登録ステップと、通信制御装置が、第二アクセスネットワークを介して送信された第二ユーザ情報を外部端末から受信する第二受信ステップと、通信制御装置が、第二受信ステップにおいて受信した第二ユーザ情報を外部端末のユーザ識別子と関連付けて登録する第二登録ステップと、を備えることを特徴とする。
【００１１】
本発明の通信制御方法によれば、コアネットワーク内の通信制御装置において、第一アクセスネットワークを介した第一ユーザ情報、及び第二アクセスネットワークを介した第二ユーザ情報の両方が、外部端末に固有の単一のユーザ識別子に関連付けて、登録される。このため、複数のアクセスネットワークに対応している外部端末がコアネットワークと通信接続する場合であっても、単一のユーザ識別子を用いて通信接続が行えるので通信処理の煩雑性が低減されるととともに、ネットワーク設備費用が低減される。
【発明の効果】
【００１２】
本発明によれば、複数のアクセスネットワークに対応している外部端末がコアネットワークと通信接続する際における通信処理の煩雑性を低減するとともに、ネットワーク設備費用を低減することが可能な通信制御装置及び通信制御方法が提供できる。
【図面の簡単な説明】
【００１３】
【図１】実施形態に係る通信制御装置を含むＩＭＳシステムの構成を示す図である。
【図２】実施形態に係る通信制御装置の構成を示す図である。
【図３】実施形態に係る通信制御装置の動作を説明するためのシーケンス図である。
【発明を実施するための形態】
【００１４】
以下、添付図面を参照しながら本発明の実施形態を詳細に説明する。なお、図面の説明において、同一の要素には同一の符号を付し、重複する説明を省略する。
【００１５】
図１は、実施形態に係る通信制御装置１を含むＩＭＳシステムの構成を示す図である。図２は、実施形態に係る通信制御装置の構成を示す図である。図３は、実施形態に係る通信制御装置の動作を説明するためのシーケンス図である。図１に示すように、通信制御装置１は、コアネットワーク２内に設けられ、オペレータ装置６と外部端末５とのＩＭＳ通信を制御する装置である。コアネットワーク２は、ＩＭＳ通信を行うために、発信側アクセスネットワークと着信側アクセスネットワークとを接続するものである。コアネットワーク２は、ＡＳ７（Application  Server）等を備える。ＡＳ７は、通信制御装置１に接続されている。通信制御装置１は、第一アクセスネットワーク３及び第二アクセスネットワーク４を介して、外部端末５に接続されている。通信制御装置１は、第一アクセスネットワーク３及び第二アクセスネットワーク４を介して、外部端末５から送信されるユーザ情報を受信し、該ユーザ情報を登録する。第一アクセスネットワーク３及び第二アクセスネットワーク４は、ＩＰ−ＣＡＮであり、例えば、ＷＬＡＮ（Wireless  Local  Area  Network）、ＵＴＲＡＮ（UMTS  Terrestrial  Radio  Access  Network）などである。なお、ＩＰ−ＣＡＮの数は２つに限らず、複数であれば良い。外部端末５は、パーソナルコンピュータや携帯端末等であり、ユーザ情報を通信制御装置１に送信する。外部端末５は、ＩＭＳシステムを利用する者（ユーザ）によって利用（所有）される。なお、図１では、外部端末５が一台のみ示されているが、複数のユーザが複数のＩＰ−ＣＡＮを介して通信制御装置１に接続されていてもよい。
【００１６】
次に、実施形態に係る通信制御装置１の構成を説明する。通信制御装置１は、ＣＳＣＦ（Call  Session  Control  Function）及びＨＳＳ（Home  Subscriber  Server）等を備える。ＨＳＳは、ユーザ識別子Ａ、ユーザ情報（第一ユーザ情報及び第二ユーザ情報）、優先順位情報等を格納する。第一ユーザ情報及び第二ユーザ情報は、単一のユーザ識別子Ａに関連付けられてＨＳＳに格納されている。ユーザ識別子Ａは、ＩＭＳ通信を行うＩＭＳサービス事業者と加入契約者である外部端末５とを結び、ＩＭＳサービスを利用するために割り当てられる識別子である。ユーザ識別子Ａは、例えば、Ｐｕｂｌｉｃ  Ｕｓｅｒ  ＩＤである「電話番号＠ドメイン名」である。ユーザ情報は、電話番号等の通信アドレスである。また、通信制御装置１は、図２に示すように、機能的には、ユーザ情報受信部１１、ユーザ情報登録部１２、登録通知部１３、優先順位情報受信部１４、優先順位情報登録部１５、接続要求部１６、及び呼応受信部１７を備える。これらのユーザ情報受信部１１〜呼応受信部１７は、ＣＳＣＦのＣＰＵがＣＳＣＦのＲＯＭや記録装置等のメモリに格納されたコンピュータソフトウェアを実行させることによって実現される機能である。このＣＰＵは、コンピュータソフトウェアを実行することによって、図３のシーケンス図に示す処理を実行する。
【００１７】
次に、図３を参照して、実施形態に係る通信制御装置１の動作を説明する。まず、ユーザ情報受信部１１は、第一アクセスネットワーク３介して、ユーザの利用する外部端末５から送信された第一ユーザ情報を受信する（ステップＳ１）。この際、外部端末５によって、例えば、ＳＩＰ  Ｒｅｇｉｓｔｅｒメッセージの標準規定（RFC3455  P‐Header  extensions  to  SIP  for  3GPP）のヘッダ（P‐Access‐Network‐Info）にＩＰ−ＣＡＮ種別が設定されている。
【００１８】
次いで、ユーザ情報登録部１２は、ユーザ情報受信部１１によって受信された第一ユーザ情報を外部端末５に固有の単一のユーザ識別子Ａと関連付けてＨＳＳに登録する（ステップＳ２）。ユーザ識別子Ａは、外部端末５に予め設定される場合と、Registration（登録）時にコアネットワーク２から外部端末５に割り当てられる場合とがある。そして、登録通知部１３は、ＨＳＳから送信された第一ユーザ情報の登録完了通知を外部端末５へ送信する（ステップＳ３）。
【００１９】
続いて、ユーザ情報受信部１１は、第二アクセスネットワーク４を介して、外部端末５から送信された第二ユーザ情報を受信する（ステップＳ４）。次いで、ユーザ情報登録部１２は、受信した第二ユーザ情報を外部端末５のユーザ識別子Ａと関連付けて登録する（ステップＳ５）。そして、登録通知部１３は、ＨＳＳから送信された第二ユーザ情報の登録完了通知を外部端末５へ送信する（ステップＳ６）。
【００２０】
その後、優先順位情報受信部１４は、第一アクセスネットワーク３及び第二アクセスネットワーク４のいずれを優先的に用いるかを示す優先順位情報を、外部端末５から受信する（ステップＳ７）。なお、ステップ７の代わりに、優先順位情報受信部１４は、この優先順位情報を、オペレータ装置６から受信してもよい（ステップＳ８）。優先順位情報登録部１５は、外部端末５またはオペレータ装置６から受信した優先順位情報を登録する（ステップＳ９）。
【００２１】
次いで、接続要求部１６は、優先順位情報に基づいて、第一アクセスネットワーク３または第二アクセスネットワーク４のいずれか一方を介して接続する旨の接続要求（SIP  INVITE  メッセージ）を外部端末５に通知する（ステップＳ１０）。この後、呼応受信部１７は、この接続要求への呼応を外部端末５から受信する（ステップＳ１１）。
【００２２】
次に、実施形態に係る通信制御装置１の作用及び効果を説明する。通信制御装置１は、第一アクセスネットワーク３及び第二アクセスネットワーク４を介して、外部端末５と通信接続するコアネットワーク２内の装置である。通信制御装置１は、ユーザ情報受信部１１及びユーザ情報登録部１２を備える。ユーザ情報受信部１１は、第一アクセスネットワーク３を介して送信された第一ユーザ情報、及び第二アクセスネットワーク４を介して送信された第二ユーザ情報を外部端末５から受信する。ユーザ情報登録部１２は、外部端末５に固有の単一のユーザ識別子Ａに関連付けて、ユーザ情報受信部１１によって受信された第一ユーザ情報及び第二ユーザ情報を登録する（第一の態様）。
【００２３】
第一の態様の通信制御装置１によれば、第一アクセスネットワーク３を介した第一ユーザ情報、及び第二アクセスネットワーク４を介した第二ユーザ情報の両方が、外部端末５に固有の単一のユーザ識別子Ａに関連付けて、登録される。このため、着信側である外部端末５が第一アクセスネットワーク３及び第二アクセスネットワーク４を介してコアネットワークに複数のユーザ情報を登録済みの場合においても、発信側は、着信側の外部端末５に固有の単一のユーザ識別子Ａのみを意識すればよい。従って、複数のアクセスネットワークに対応している外部端末５がコアネットワーク２と通信接続する場合であっても、単一のユーザ識別子Ａを用いて通信接続が行えるので、通信処理の煩雑性が低減される。また、ユーザプロファイルの冗長が抑制され、ネットワーク設備費用も低減される。
【００２４】
また、従来の通信システムでは、複数のアクセスネットワークに対応している外部端末へ着信する際、複数のユーザ識別子宛に接続要求を行っていた。そのため、着側の外部端末の複数のユーザ識別子のうち、登録処理が行われていないユーザ識別子に発信した場合、呼損となっていた。しかしながら、本発明によれば、複数のアクセスネットワークを介した複数のユーザ情報（第一ユーザ情報及び第二ユーザ情報）が、外部端末５に固有の単一のユーザ識別子Ａに関連付けて登録されているため、呼損の発生を抑制できる。
【００２５】
第一の態様の通信制御装置１は、優先順位情報受信部１４及び接続要求部１６を更に有しても良い。優先順位情報受信部１４は、第一アクセスネットワーク３または第二アクセスネットワーク４のいずれを優先的に用いるかを示す優先順位情報を受信する。接続要求部１６は、優先順位情報受信部１４によって受信された優先順位情報に基づいて、第一アクセスネットワーク３及び第二アクセスネットワーク４のいずれか一方を介して接続する旨の接続要求を外部端末５に通知する（第二の態様）。第二の態様の通信制御装置１によれば、第一アクセスネットワーク３または第二アクセスネットワーク４のいずれかを優先的に介した通信接続を行うことができる。
【符号の説明】
【００２６】
１…通信制御装置、２…コアネットワーク、３…第一アクセスネットワーク、４…第二アクセスネットワーク、５…外部端末、６…オペレータ装置、１１…ユーザ情報受信部、１２…ユーザ情報登録部、１３…登録通知部、１４…優先順位情報受信部、１５…優先順位情報登録部、１６…接続要求部、１７…呼応受信部。
【図１】
2010232990.tif 000003
【図２】
2010232990.tif 000004
【図３】
2010232990.tif 000005